(57)【要約】【課題】  立体状の電磁波シールド資材の電磁波シールド性能を評価可能で、ＧＨｚ帯までの電磁波シールド性能を評価する。【解決手段】  立体状の電磁波シールド資材の電磁波シールド性能を評価する電磁波シールド性能評価方法であって、開口を有し、内部に送信アンテナが設置され、前記開口を閉塞部材で閉塞することができるシールドボックスと、前記送信アンテナからの信号を受信できる受信機に接続された受信アンテナとを電波暗室にセットし、前記シールドボックスの開口を閉塞部材で閉塞する際に、前記電磁波シールド資材を閉塞部材とシールドボックスとで挟み込むことで、内部の送信アンテナからの信号を遮断した状態で、前記信号を受信機で受信することで前記電磁波シールド資材の電磁波シールド性能を評価する。【選択図】      図２
2012145456.tif 000002
【特許請求の範囲】
【請求項１】
立体状の電磁波シールド資材の電磁波シールド性能を評価する電磁波シールド性能評価方法において、開口を有し、内部に送信アンテナが設置され、前記開口を閉塞部材で閉塞することができるシールドボックスと、前記送信アンテナからの信号を受信できる受信機に接続された受信アンテナとを電波暗室にセットし、前記シールドボックスの開口を閉塞部材で閉塞する際に、前記電磁波シールド資材を閉塞部材とシールドボックスとで挟み込むことで、内部の送信アンテナからの信号を遮断した状態で、前記信号を受信機で受信することで前記電磁波シールド資材の電磁波シールド性能を評価することを特徴とする電磁波シールド性能評価方法。
【発明の詳細な説明】
【技術分野】
【０００１】
本発明は、立体状の電磁波シールド資材の電磁波シールド性能を評価することができる電磁波シールド性能評価方法に関する。
【背景技術】
【０００２】
電磁波シールド資材には、平面的なシート状のタイプと、ウレタンフォーム等の柔軟素材からなる芯材を導電性を有する布等で覆った立体的なガスケットタイプとがある。
一般社団法人ＫＥＣ関西電子工業振興センターのいわゆるＫＥＣ法は、シート状のタイプの電磁波シールド性能を評価するものである。
【０００３】
【非特許文献１】社団法人関西電子工業振興センターのウエブサイト（http://www.kec.jp/emc/kec-method.html ）
【発明の開示】
【発明が解決しようとする課題】
【０００４】
上述したＫＥＣ法ではシート状の電磁波シールド資材の電磁波シールド性能しか評価できない。このため、立体的なガスケットタイプの電磁波シールド資材では、構成品である導電性を有する布等の電磁波シールド性能を評価したり、スポンジ等の柔軟素材に電磁波シールド性能がある場合には切断前のシート状の状態で電磁波シールド性能を測定していた。
すなわち、ＫＥＣ法では、立体状のガスケットタイプの電磁波シールド資材は、直接的に電磁波シールド性能を評価することができないのである。
【０００５】
また、ＫＥＣ法では、ＭＨｚ帯までの電磁波シールド性能しか評価できなかった。
しかし、現在はＣＰＵの高速化等のため、ＧＨｚ帯までの電磁波シールド性能の評価が求められている。
【０００６】
本発明は、上記事情に鑑みて創案されたもので、ガスケットタイプ等の立体状の電磁波シールド資材の電磁波シールド性能を評価することができ、しかもＧＨｚ帯までの電磁波シールド性能を評価することができる電磁波シールド性能評価方法を提供することを目的としている。
【課題を解決するための手段】
【０００７】
本発明に係る電磁波シールド性能評価方法は、立体状の電磁波シールド資材の電磁波シールド性能を評価する電磁波シールド性能評価方法であって、開口を有し、内部に送信アンテナが設置され、前記開口を閉塞部材で閉塞することができるシールドボックスと、前記送信アンテナからの信号を受信できる受信機に接続された受信アンテナとを電波暗室にセットし、前記シールドボックスの開口を閉塞部材で閉塞する際に、前記電磁波シールド資材を閉塞部材とシールドボックスとで挟み込むことで、内部の送信アンテナからの信号を遮断した状態で、前記信号を受信機で受信することで前記電磁波シールド資材の電磁波シールド性能を評価する。
【発明の効果】
【０００８】
本発明に係る電磁波シールド性能評価方法は、シールドボックスの開口を前面パネルで閉塞し、両者の間に電磁波シールド資材を挟み込むようにしたので、従来のＫＥＣ法では不可能であった立体的な電磁波シールド資材の電磁波シールド性能を評価することが可能になった。
また、送信アンテナと受信アンテナとを選択することで様々な帯域のシールド性能評価が可能となるため、従来のＫＥＣ法では不可能であったＧＨｚ帯までの電磁波シールド性能の評価が可能になった。
【図面の簡単な説明】
【０００９】
【図１】本発明に係る電磁波シールド性能評価方法に用いられるシールドボックスと閉塞部材との図面であって、同図（Ａ）は概略的斜視図、同図（Ｂ）はシールドボックスの概略的断面図である。
【図２】本発明に係る電磁波シールド性能評価方法のための概略的ブロック図である。
【図３】本発明に係る電磁波シールド性能評価方法を実施する際の電磁波シールド資材のシールドボックスへのセットを示す図面であって、同図（Ａ）は概略的断面図、同図（Ｂ）は概略的正面図である。
【図４】本発明に係る電磁波シールド性能評価方法のテストを行った電磁波シールド資材の概略的斜視図である。
【図５】本発明に係る電磁波シールド性能評価方法での評価結果を示すグラフであって、同図（Ａ）はシールドボックスと閉塞部材との間に５ｍｍの隙間を有した状態での１０００ＭＨｚ〜６０００ＭＨｚ（６ＧＨｚ）の電磁波の強度とノイズフロアとを比較したグラフ、同図（Ｂ）はシールドボックスと閉塞部材との間に電磁波シールド資材を介在させた状態での１０００ＭＨｚ〜６０００ＭＨｚ（６ＧＨｚ）の電磁波の強度と５ｍｍの隙間を有した状態とを比較したグラフである。
【図６】シート状の電磁波シールド資材の電磁波シールド性能を測定する際に使用する前面パネルの概略的正面図である。
【発明を実施するための形態】
【００１０】
本発明の実施の形態に係る電磁波シールド性能評価方法は、立体状の電磁波シールド資材５００の電磁波シールド性能を評価する電磁波シールド性能評価方法であって、開口１１０を有し、内部に送信アンテナ３００が設置され、前記開口１１０を閉塞部材２００で閉塞することができるシールドボックス１００と、前記送信アンテナ３００からの信号を受信して評価できる評価装置３２０に接続された受信アンテナ３１０とを電波暗室４００にセットし、前記シールドボックス１００の開口１１０を閉塞部材２００で閉塞する際に、前記電磁波シールド資材５００を閉塞部材２００とシールドボックス１００とで挟み込むことで、内部の送信アンテナ３００からの信号を遮断した状態で、前記信号を評価装置３２０で受信することで前記電磁波シールド資材５００の電磁波シールド性能を評価するようになっている。
【００１１】
なお、この電磁波シールド性能評価方法によって電磁波シールド性能が評価される立体状の電磁波シールド資材５００とは、図４に示すように、ウレタンフォーム等の断面矩形状の芯材５１０と、この芯材５１０に巻き付けられる導電性を有する導電性布５２０とから構成され、例えば、電子機器の筐体と、この筐体を閉塞する蓋体との間に挟み込まれて、筐体の内部を電磁波からシールドするために用いられるものである。なお、芯材５１０に巻き付けられるものとしては、導電性を有する導電性布５２０に限られず、導電性を有しない布やフィルムであってもよい。
【００１２】
まず、前記シールドボックス１００は、図１等に示すように、５枚の正方形の板材と、この板材と外形は同じで開口１１０が開設されたロ字形状の１枚の板材とを立方体状に組み合わせたものである。前記板材としては、例えば１．５ｍｍ厚の導体からなる板材、例えば、ステンレススチール板材を使用する。
このシールドボックス１００の内側の空間には、送信機３３０に接続された送信アンテナ３００が設置されている。
前記空間の開口１１０が開設された面には、開口１１０を取り囲んでボックス側ビス穴１２０が形成されている。このボックス側ビス穴１２０は、後述する閉塞部材２００を取り付けるためのものである。
【００１３】
このシールドボックス１００の開口１１０を閉塞する閉塞部材２００は、前記開口１１０が開設された板材と同形状、同サイズに設定されており、前記ボックス側ビス穴１２０に対応した位置に閉塞側ビス穴２２０が開設されている。なお、この閉塞部材２００は、シールドボックス１００と同様に１．５ｍｍ厚のステンレススチール板材から構成されている。
なお、前記シールドボックス１００に閉塞部材２００を取り付けるためのビス２５０もステンレススチール製である。
上述した説明では、シールドボックス１００、閉塞部材２００、これらを連結するビス２５０は、すべてステンレススチールからなるとしたが、本発明はこれに限定されることはなく、金属であればよい。
【００１４】
シールドボックス１００の内部には送信アンテナ３００が設けられている。この送信アンテナ３００は、送信機側アッテネーター３４０を介して送信機３３０からの信号が送信されるようになっている。
なお、送信機側アッテネーター３４０は、電波暗室４００の内部にセットされており、送信機３３０は電波暗室４００の外部にセットされている。
【００１５】
一方、受信アンテナ３１０は、電波暗室４００内にセットされている。この受信アンテナ３１０で受信された信号は、受信機側アッテネーター３５０及びアンプ３６０を介してスペクトラムアナライザー等の評価装置３２０に入力される。
なお、受信機側アッテネーター３５０は電波暗室４００の内部にセットされる。
しかし、その受信機側アッテネーター３５０に接続されるアンプ３６０は、ＧＨｚ帯の評価の際には電波暗室４００の内部にセットされるが、ＭＨｚ帯の評価の際には電波暗室４００の外部にセットされる。図２は、ＧＨｚ帯の評価の際のものである。
また、前記アンプ３６０は必須のものではなく、用いないこともある。
【００１６】
前記シールドボックス１００に閉塞部材２００を取り付ける際には、図３に示すように、開口１１０を取り囲むようにして電磁波シールド資材５００をシールドボックス１１０に取り付ける。なお、電磁波シールド資材５００のシールドボックス１００への取り付けは、その電磁波シールド資材５００を実際に製品等に組み込む際に使用するのと同様の接着剤を使用する。なお、測定上は、この接着剤を使用しない場合もあり、測定上の影響を最小限にとどめるようにすれば、接着剤に限定する必要がなく固定できればなんでもよい。
なお、図３では、電磁波シールド資材５００は、ビス２５０の内側に配置しているが、電磁波シールド資材５００はビス２５０の外側や内外両側に配置することも可能である。
【００１７】
電磁波シールド資材５００が取り付けられたシールドボックス１００に開口１１０を閉塞する閉塞部材２００を前記ビス２５０で取り付ける。この際、電磁波シールド資材５００は、閉塞部材２００が押しつけられて変形するが、実際に電磁波シールド資材５００を使用する際と同じように押しつける。
なお、図３（Ａ）においては作図の都合上、電磁波シールド資材５００は変形して描かれてはいない。
シールドボックス１００への閉塞部材２００の取り付けを今回はビス２５０によるものとしたが、シールドボックス１００にボックス側ビス穴１２０がない状態が測定上最もふさわしく、シールドボックス１００に閉塞部材２００を治具等で取り付けられればよい。
【００１８】
このようにして電磁波シールド資材５００をシールドボックス１００と閉塞部材２００との間に挟み込んだものを電波暗室４００にセットする。そして、開口１１０の前面側に３ｍ離れた位置に受信アンテナ３１０をセットする。
なお、受信アンテナ３１０は開口１１０の前面側から３ｍ離れた位置にセットされるとしたが、本発明がこれに限定されるわけではない。
【００１９】
この状態で送信機３３０から信号を送信する。例えば、ノイズフロアが図５（Ａ）に示すようなものであった場合、シールドボックス１００と閉塞部材２００との間に５ｍｍの隙間を有した状態での１０００ＭＨｚ〜６０００ＭＨｚ（６ＧＨｚ）の電磁波（図５（Ａ）参照）はどの範囲においても８０〜１２０ｄＢμＶであった。
なお、今回の実験では、シールドボックス１００と閉塞部材２００との間の隙間を５ｍｍとしたが、これに限定されるものではない。
【００２０】
これに対して、シールドボックス１００と閉塞部材２００との間に電磁波シールド資材５００を介在させた場合には、図５（Ｂ）に示すように、どの周波数帯においても約６０ｄＢμＶまで低下したことが確認された。
【００２１】
すなわち、この電磁波シールド性能評価方法によると、従来のＫＥＣ法では不可能であった立体的なガスケットタイプの電磁波シールド資材５００の電磁波シールド性能も測定することが可能であり、しかもＧＨｚ帯までの測定が可能になることが判明する。
【００２２】
なお、シート状の電磁波シールド資材を測定する場合には、図６に示すように、開口部２７１が開設された前面パネル２７０を用いることになる。この前面パネル２７０は、上述した立体的な電磁波シールド資材５００の電磁波シールド性能を測定する際に使用する前面パネル２００と外形は同じであり、中央部に開口部２７１が開設されている点のみが異なる。
かかる前面パネル２７０を用いる場合には、前面パネル２７０の開口部２７１をシート状の電磁波シールド資材で覆う。
【００２３】
なお、上述した説明で用いた図２に示す電磁波シールド性能評価方法のための概略的ブロック図は、単なる一例であって、本発明がこれに限定されるものではない。
【符号の説明】
【００２４】
１００    シールドボックス
１１０    開口
２００    閉塞部材
３００    送信アンテナ
３１０    受信アンテナ
３２０    評価装置
３３０    送信機                                                                ５００    電磁波シールド資材
【図１】
2012145456.tif 000003
【図２】
2012145456.tif 000004
【図３】
2012145456.tif 000005
【図４】
2012145456.tif 000006
【図５】
2012145456.tif 000007
【図６】
2012145456.tif 000008